(57)【要約】【課題】操作性を損なうことなく、無線通信のための電力消費を低減することができる電子機器を実現する。【解決手段】ＢＲ／ＥＤＲリンク３０１はデバイス間のコンテンツデータの伝送つまりストリーミングに使用される。一方、低消費電力のＬＥリンク３０２は、リモートデバイスをリモート制御のために使用される。ＳＮＫ１は、通信モジュール１０１とＳＲＣ２とのＬＥリンク３０２を確立し、このＬＥリンク３０２を介して再生要求信号をＳＲＣ２に送信する。そして、ＳＮＫ１は、再生要求信号を送信した後、通信モジュール１０１とＳＲＣ２との間にＢＲ／ＥＤＲリンク３０１を確立し、このＢＲ／ＥＤＲリンク３０１を介して通信モジュール１０１とＳＲＣ２との間でデジタルコンテンツデータを転送する。【選択図】図１
2011197822.tif 000002
【特許請求の範囲】
【請求項１】
第１の物理リンクおよび第２の物理リンクの少なくとも一方を介して信号を無線送受信するように構成された通信モジュールであって、前記第１の物理リンクを介した信号の無線送受信のための電力消費は前記第２の物理リンクを介した信号の無線送受信のための電力消費よりも低い通信モジュールと、
前記通信モジュールと外部デバイスとの間に前記第１の物理リンクを確立する第１リンク制御手段と、
前記第１の物理リンクを介してデジタルコンテンツデータの再生要求信号を前記外部デバイスに送信するリモート制御手段と、
前記再生要求信号を送信した後、前記通信モジュールと前記外部デバイスとの間に前記第２の物理リンクを確立する第２のリンク制御手段と、
前記第２の物理リンクを介して前記通信モジュールと前記外部デバイスとの間でデジタルコンテンツデータを転送するデータ転送手段とを具備することを特徴とする電子機器。
【請求項２】
前記第２のリンク制御手段は、前記デジタルコンテンツデータの転送が停止された場合、前記第２の物理リンクを切断することを特徴とする請求項１記載の電子機器。
【請求項３】
前記第２の物理リンク介した信号の無線送受信は、周波数帯域を分割することによって得られる複数の第１周波数チャネル間をホッピングする周波数ホッピングによって実行され、前記第１の物理リンク介した信号の無線送受信は前記周波数帯域を分割することによって得られる、前記第１周波数チャネルの数よりも少ない複数の第２周波数チャネル間をホッピングする周波数ホッピングによって実行されることを特徴とする請求項１記載の電子機器。
【請求項４】
第１の物理リンクおよび第２の物理リンクの少なくとも一方を介して信号を無線送受信するように構成された通信モジュールであって、前記第１の物理リンクを介した信号の無線送受信のための電力消費は前記第２の物理リンクを介した信号の無線送受信のための電力消費よりも低い通信モジュールと、
前記通信モジュールと外部デバイスとの間に前記第２の物理リンクを確立し、前記第２の物理リンクを介して前記通信モジュールと前記外部デバイスとの間でデジタルコンテンツデータを転送すると共に、前記第２の物理リンクを介して前記外部デバイスにリモート制御信号を送信する第１の制御手段と、
前記リモート制御信号によって前記デジタルコンテンツデータの転送が停止された場合、前記第２の物理リンクを切断すると共に、前記通信モジュールと前記外部デバイスとの間に前記第１の物理リンクを確立するリンク制御手段と、
前記第２の物理リンクが切断されている状態で前記デジタルコンテントデータの再生開始イベントが発生した場合、再生要求信号を前記第１の物理リンクを介して前記外部デバイスに送信すると共に前記第１の物理リンクを切断し、且つ前記デジタルコンテンツデータの転送を再開するために前記通信モジュールと前記リモートデバイスとの間に前記第２の物理リンクを再確立する第２の制御手段とを具備することを特徴とする電子機器。
【請求項５】
前記第２の物理リンク介した信号の無線送受信は、周波数帯域を分割することによって得られる複数の第１周波数チャネル間をホッピングする周波数ホッピングによって実行され、前記第１の物理リンク介した信号の無線送受信は前記周波数帯域を分割することによって得られる、前記第１周波数チャネルの数よりも少ない複数の第２周波数チャネル間をホッピングする周波数ホッピングによって実行されることを特徴とする請求項４記載の電子機器。
【請求項６】
電子機器と外部デバイスとの間の無線通信を制御する通信制御方法であって、前記電子機器は、第１の物理リンクおよび第２の物理リンクの少なくとも一方を介して信号を無線送受信するように構成され、前記第１の物理リンクを介した信号の無線送受信のための電力消費は前記第２の物理リンクを介した信号の無線送受信のための電力消費よりも低い通信モジュールを含んでおり、
前記通信モジュールと前記外部デバイスとの間に前記第１の物理リンクを確立するステップと、
前記第１の物理リンクを介してデジタルコンテンツデータの再生要求信号を前記外部デバイスに送信するステップと、
前記再生要求信号を送信した後、前記通信モジュールと前記外部デバイスとの間に前記第２の物理リンクを確立するステップと、
前記第２の物理リンクを介して前記通信モジュールと前記外部デバイスとの間でデジタルコンテンツデータを転送するステップとを具備することを特徴とする通信制御方法。
【請求項７】
前記デジタルコンテンツデータの転送が停止された場合、前記第２の物理リンクを切断するステップをさらに具備することを特徴とする請求項６記載の通信制御方法。
【発明の詳細な説明】
【技術分野】
【０００１】
本発明は一般に無線通信機能を有する電子機器に関する。
【背景技術】
【０００２】
近年、電子機器間を接続するケーブルに取って代わることを目的とした様々な無線通信技術が開発されている。この無線通信技術には、例えば、Ｂｌｕｅｔｏｏｔｈ（登録商標）、または他の様々な近距離無線通信方式がある。
【０００３】
Ｂｌｕｅｔｏｏｔｈでは、オーディオ／ビデオ・リモート・コントロールプロファイル（ＡＶＲＣＰ）が規定されている。ＡＶＲＣＰは、オーディオまたはビデオのようなコンテントデータの再生をリモート制御するために使用される。このＡＶＲＣＰは、コンテントデータの再生に関する操作性を高めることを可能にする。
【０００４】
ところで、一般に、音楽プレーヤ、ワイヤレスヘッドセットのようなポータブル機器は、低コスト、低消費電力を要求する。
【０００５】
特許文献１には、映像音声データを無線送信する装置が開示されている。この装置は、２．４ＧＨｚまたは５．２ＧＨｚの帯域を使用する広帯域通信部と、４００ＭＨｚまたは１．２ＧＨｚの帯域を使用する狭帯域通信部とを備えている。広帯域通信部は、映像音声データを無線送信するために使用される。一方、狭帯域通信部は、広帯域通信部をオン／オフするために使用される。
【先行技術文献】
【特許文献】
【０００６】
【特許文献１】特開２００５−２２３４４３号公報
【発明の概要】
【発明が解決しようとする課題】
【０００７】
しかし、特許文献１の装置では、リモート制御を行うための構成については考慮されていない。よって、操作性を損なうことなく、無線通信のための電力消費を低減するための新たな技術の実現が必要である。
【０００８】
本発明は上述の事情を考慮してなされたものであり、操作性を損なうことなく、無線通信のための電力消費を低減することができる電子機器および通信制御方法を提供することを目的とする。
【課題を解決するための手段】
【０００９】
上述の課題を解決するために、本発明の電子機器は、第１の物理リンクおよび第２の物理リンクの少なくとも一方を介して信号を無線送受信するように構成された通信モジュールであって、前記第１の物理リンクを介した信号の無線送受信のための電力消費は前記第２の物理リンクを介した信号の無線送受信のための電力消費よりも低い通信モジュールと、前記通信モジュールと外部デバイスとの間に前記第１の物理リンクを確立する第１リンク制御手段と、前記第１の物理リンクを介してデジタルコンテンツデータの再生要求信号を前記外部デバイスに送信するリモート制御手段と、前記再生要求信号を送信した後、前記通信モジュールと前記外部デバイスとの間に前記第２の物理リンクを確立する第２のリンク制御手段と、前記第２の物理リンクを介して前記通信モジュールと前記外部デバイスとの間でデジタルコンテンツデータを転送するデータ転送手段とを具備することを特徴とする。
【発明の効果】
【００１０】
本発明によれば、操作性を損なうことなく、無線通信のための電力消費を低減することができる。
【図面の簡単な説明】
【００１１】
【図１】本発明の一実施形態に係る電子機器と外部機器との間の無線接続を説明するためのブロック図。
【図２】同実施形態の電子機器のシステム構成例を示すブロック図。
【図３】同実施形態の電子機器と外部機器との間で実行される無線通信動作の手順を示す図。
【図４】同実施形態の電子機器と外部機器との間の無線接続の他の例を説明するためのブロック図。
【図５】図４の無線接続を介して実行される無線通信動作の手順の一部を示す図。
【図６】図４の無線接続を介して実行される無線通信動作の手順の残りの部分を示す図。
【発明を実施するための形態】
【００１２】
以下、図面を参照して、本発明の実施形態を説明する。  
図１には、本発明の一実施形態に係る電子機器によって提供される無線通信技術を用いて実現される、２つの電子機器間の無線接続の例が示されている。この無線接続は、例えば、２つの電子機器間でデジタルコンテンツデータを転送するために、つまり、デジタルコンテンツデータのストリーミングのために使用される。デジタルコンテンツデータは、例えば、オーディオデータ、ビデオデータ、または他の各種メディアデータである。ここでは、２つの電子機器間の無線接続を介してオーディオデータのストリーミングを行う場合を想定する。
【００１３】
図１において、シンクデバイス（ＳＮＫ）１はオーディオデータを無線受信する電子機器である。シンクデバイス１は、例えば、ワイヤレスヘッドフォン、ワイヤレススピーカ、他の各種ワイヤレスデバイスであってもよい。ソースデバイス（ＳＲＣ）２はオーディオデータを無線送信する電子機器である。ソースデバイス（ＳＲＣ）２は、例えば、オーディオプレーヤ、他の各種ワイヤレスデバイスであってもよい。
【００１４】
ＳＮＫ１は、リモートデバイス（外部デバイス）との無線通信を行う通信モジュール１０１を備えている。通信モジュール１０１は、第１の物理リンクおよび第２の物理リンクの少なくとも一方を介して信号を無線送受信するように構成されている。第１の物理リンクを介した信号の無線送受信のための電力消費は、第２の物理リンクを介した信号の無線送受信のための電力消費よりも低い。
【００１５】
より詳しくは、通信モジュール１０１は、電力消費の異なる２つのベースバンド（物理層）、つまり、第１および第２のベースバンド、をそれぞれをサポートできるように構成されている。第１のベースバンドによって提供される物理リンクは上述の第１の物理リンクである。また第２のベースバンドによって提供される物理リンクは上述の第２の物理リンクである。第１の物理リンクおよび第２の物理リンクのどちらもＩＳＭバンドのような周波数帯域を使用し得る。第１のベースバンドによって提供される第１の物理リンクのデータ伝送レート（データレートとも云う）は第２のベースバンドによって提供される第２の物理リンクのデータ伝送レートよりも低い。その反面、第１の物理リンクの確立および切断の各々に要する時間は、第２の物理リンクの確立および切断の各々に要する時間よりも短い。
【００１６】
通信モジュール１０１は、これら２つのベースバンド、つまり２つの物理リンクをサポートするために、２つのモジュール１０２，１０３を備えている。モジュール１０２は第２の物理リンクをローカルデバイス（ＳＮＫ１）とリモートデバイス（ＳＲＣ２）との間に確立し、第２の物理リンクを介して信号を無線送受信する。モジュール１０３は低消費電力、低コストである第１の物理リンクをローカルデバイス（ＳＮＫ１）とリモートデバイス（ＳＲＣ２）との間に確立し、第１の物理リンクを介して信号を無線送受信する。
【００１７】
２つのモジュール１０２，１０３のどちらも、同じ通信方式、例えば、周波数ホッピングを用いた無線通信方式を使用する。モジュール１０２は、ＩＳＭバンドのような周波数帯域を例えば１ＭＨｚ毎に分割することによって得られるｍ個の周波数チャネルを選択的に使用する。一方、モジュール１０３は、ＩＳＭバンドのような周波数帯域を例えば２ＭＨｚ毎に分割することによって得られるｎ個の周波数チャネルを選択的に使用する。ここで、ｎはｍよりも小さい。つまり、第２の物理リンクを介した信号の無線送受信はｍ個の周波数チャネル間をホッピングする周波数ホッピングによって実行され、第１の物理リンクを介した信号の無線送受信はｎ個の周波数チャネル間をホッピングする周波数ホッピングによって実行される。このように、モジュール１０３は、モジュール１０２よりも少ない周波数チャネル間でホッピングを行う。このことも、モジュール１０３がモジュール１０２よりも低消費電力である理由の一つである。
【００１８】
通信モジュール１０１は、例えば、Ｂｌｕｅｔｏｏｔｈモジュールによって実現することが出来る。  
この場合、モジュール１０２は、Ｂｌｕｅｔｏｏｔｈのベーシックレート（ＢＲ）またはエンハンスドデータレート（ＥＤＲ）に対応する無線送受信機であるＢＲ／ＥＤＲモジュールとして実現し得る。ＢＲ／ＥＤＲモジュールは、最大で約２〜３Ｍｂｐｓでの通信を行うことができる。ＢＲ／ＥＤＲは、物理層（ベースバンド）、リンクマネージャ、ホストコントローラインタフェース（ＨＣＩ）等を含む。一方、モジュール１０３は、ＢｌｕｅｔｏｏｔｈのＶｅｒｓｉｏｎ４．０として新たに策定されたＬｏｗ  Ｅｎｅｒｇｙ（ＬＥ）に対応する無線送受信機であるＬＥモジュールとして実現し得る。ＬＥモジュールは、最大で約１Ｍｂｐｓでの通信を行うことができる。ＬＥモジュールは、物理層（ベースバンド）、リンクマネージャ、ホストコントローラインタフェース（ＨＣＩ）等を含む。
【００１９】
以下では、モジュール１０２がＢＲ／ＥＤＲモジュールとして実現されており、モジュール１０３がＬＥモジュールとして実現されている場合を想定する。
【００２０】
ＢＲ／ＥＤＲモジュールおよびＬＥモジュールのどちらも単独で動作することが出来る。換言すれば、あるデバイスのＢＲ／ＥＤＲモジュールは他のデバイスのＢＲ／ＥＤＲモジュールと無線通信することができる。また、あるデバイスのＬＥモジュールは他のデバイスのＬＥモジュールと無線通信することができる。
【００２１】
このため、通常は、デバイス間の無線通信においては、ＢＲ／ＥＤＲモジュールとＬＥモジュールとは排他的に用いられる。
【００２２】
これに対し、本実施形態では、デバイス間の無線通信は、ＢＲ／ＥＤＲモジュール同士の通信と、ＬＥモジュール同士の通信との組み合わせによって実行される。より詳しくは、ＳＮＫ１は、通信モジュール１０１とＳＲＣ２との第１の物理リンク（ＬＥリンク）３０２を確立し、このＬＥリンク３０２を介してデジタルコンテンツデータ（例えば、オーディオデータ）の再生要求信号をＳＲＣ２に送信する。そして、ＳＮＫ１は、再生要求信号を送信した後、通信モジュール１０１とＳＲＣ２との間に第２の物理リンク（ＢＲ／ＥＤＲリンク）３０１を確立し、この第２の物理リンク（ＢＲ／ＥＤＲリンク）３０１を介して通信モジュール１０１とＳＲＣ２との間でデジタルコンテンツデータを転送する。具体的には、ＳＮＫ１は、ＢＲ／ＥＤＲリンク３０１を介してＳＲＣ２からデジタルコンテンツデータを受信する。
【００２３】
このように、本実施形態では、ＢＲ／ＥＤＲリンク３０１はデバイス間のコンテンツデータの伝送つまりストリーミングに使用される。一方、ＬＥリンク３０２は、リモートデバイスをリモート制御、例えば、コンテンツデータの再生、停止（ポーズも含）等、するために使用される。このリモート制御は、ＳＮＫ１に設けられたキー１０４の操作に応じて実行される。キー１０４としては、例えば、１個以上のボタンスイッチ等を利用し得る。
【００２４】
ストリーミングとリモート制御とに異なる物理リンクを用いる本実施形態の構成は、ＢＲ／ＥＤＲリンク３０１を使用することなく、省電力のＬＥリンク３０２を通じてＳＮＫ１からＳＲＣ２をリモート制御することを可能にする。さらに、再生開始要求信号をＬＥリンク３０２を通じてＳＮＫ１からＳＲＣ２へ送信することにより、ストリーミングのためのＢＲ／ＥＤＲリンク３０１を任意のタイミングで確立することを可能にする。
【００２５】
したがって、例えば、リモート制御のためのＬＥリンク３０２のみを最初に確立しておき、ストリーミングの開始又は再開時に、ストリーミングのためのＢＲ／ＥＤＲリンク３０２を確立することができる。よって、例えばストリーミングの停止（ポーズ）期間中においては、ＬＥリンク３０２のみが確立されていればよく、ＢＲ／ＥＤＲリンク３０２は切断しておくことが出来る。このことにより、ストリーミングの停止（ポーズ）期間中においては、ＢＲ／ＥＤＲリンク３０１による無線通信によって消費される電力、つまり待機電力を低減することが可能となる。さらに、ストリーミングデータとオーディオリモートコントロールデータがそれぞれ別々の物理リンク上で送受信されるので、オーディオリモートコントロールの要求および応答の速度が速くなり、操作性の向上を図ることが可能となる。よって、操作性を損なうことなく、無線通信のための電力消費を低減することが可能となる。
【００２６】
ＳＲＣ２の通信モジュール２０１も、ＢＲ／ＥＤＲモジュール２０２とＬＥモジュール２０３とを備えている。ＢＲ／ＥＤＲモジュール２０２は上述のＳＮＫ１のＢＲ／ＥＤＲモジュール１０２と同様の機能を有しており、またＬＥモジュール２０３は上述のＳＮＫ１のＬＥモジュール１０３と同様の機能を有している。
【００２７】
Ｂｌｕｅｔｏｏｔｈにおいては、オーディオストリーミングのためのプロファイルとしてＡ２ＤＰ（Advanced Audio Distribution Profile）が規定され、またリモートコントロールのためのプロファイルとしてＡＶＲＣＰ（Audio Video Remote Control Profile）が規定されている。本実施形態においては、オーディオストリーミングのためのＡ２ＤＰ接続３０３は、ＢＲ／ＥＤＲモジュール１０２，２０２間に確立されたＢＲ／ＥＤＲリンク３０１上にセットアップされる。リモート制御のためのＡＶＲＣＰ接続３０４は、ＬＥモジュール１０３，２０３間に確立されたＬＥリンク３０３にセットアップされる。
【００２８】
なお、以上の説明では、ＳＮＫ１がＡＶＲＣＰのリモートコントローラとして動作し、ＳＲＣ２がＡＶＲＣＰのターゲットとして動作する場合を想定したが、ＳＲＣ２がＡＶＲＣＰのリモートコントローラとして動作し、ＳＮＫ１がＡＶＲＣＰのターゲットとして動作してもよい。本実施形態の電子機器は、リモートコントローラの役割を有するＳＮＫ１として実現してもよいし、リモートコントローラの役割を有するＳＲＣ２として実現してもよい。
【００２９】
次に、図２を参照して、本実施形態の電子機器によって実現されるＳＮＫ１のシステム構成の例を説明する。
【００３０】
ＳＮＫ１は、上述の通信モジュール１０１およびキー１０４に加え、システム制御部１１１、メモリ１１２、およびサウンド出力部１１３を備えている。システム制御部１１１はＣＰＵ１１１ａを備えている。ＣＰＵ１１１ａは通信モジュール１０１のホストとして動作する。このＣＰＵ１１１ａは、メモリ１１２に格納される通信制御プログラムを実行する。この通信制御プログラムは、通信モジュール１０１を制御するためのプログラムモジュールとして、Ａ２ＤＰ制御部１２１、ＡＶＲＣＰ制御部１２２、およびリンク制御部１２３を備えている。
【００３１】
Ａ２ＤＰ制御部１２１は、デバイス間のＡ２ＤＰ接続を確立し、このＡ２ＤＰ接続を介してオーディオデータの伝送を実行する。ＡＶＲＣＰ制御部１２２は、デバイス間のＡＶＲＣＰ接続を確立し、デジタルコンテンツデータの再生等をリモート制御するための制御信号をリモートデバイスに送信する。リンク制御部１２３は、ＬＥリンクの確立および解除（切断）を実行するための第１のリンク制御部と、ＢＲ／ＥＤＲリンクの確立および解除（切断）を実行するための第２のリンク制御部とを含む。第１のリンク制御部はＬＥリンク確立部１３３とＬＥリンク切断部１３４とを含む。ＬＥリンク確立部１３３はＬＥモジュール１０３，２０３間のＬＥリンク３０２を確立するための手順を実行し、ＬＥリンク切断部１３４はこの確立されたＬＥリンク３０２を切断するための手順を実行する。第２のリンク制御部は、ＢＲ／ＥＤＲリンク確立部１３１とＢＲ／ＥＤＲリンク切断部１３２とを含む。ＢＲ／ＥＤＲリンク確立部１３１はＢＲ／ＥＤＲモジュール１０２，２０２間のＢＲ／ＥＤＲリンク３０１を確立するための手順を実行し、ＢＲ／ＥＤＲリンク切断部１３２はこの確立されたＢＲ／ＥＤＲリンク３０１を切断するための手順を実行する。
【００３２】
次に、図３を参照して、本実施形態の通信処理の手順を説明する。図３は、オーディオストリーミングを開始し、その後途中でオーディオストリーミングを停止した後に、再度オーディオストリーミングを再開する場合のシーケンスを示している。
【００３３】
ＳＲＣ２は、まず、ＢＲ／ＥＤＲリンク接続要求信号をＳＮＫ１に無線送信する（Ｓ１０）。これに対してＳＮＫ１はＢＲ／ＥＤＲリンク接続応答信号をＳＲＣ２に無線通信する（Ｓ１１）。これにより、ＢＲ／ＥＤＲモジュール１０２とＢＲ／ＥＤＲモジュール２０２の間にＢＲ／ＥＤＲリンク３０１が確立される。このＢＲ／ＥＤＲリンク３０１は、例えば、ＢｌｕｅｔｏｏｔｈのＡＣＬ（非同期リンク）を用いて実現される。ＡＣＬは、非同期（パケット交換）タイプの物理リンクである。なお、ＳＮＫ１がＢＲ／ＥＤＲリンク接続要求信号をＳＲＣ２に無線送信してもよい。
【００３４】
次に、ＳＲＣ２は、ＬＥリンク接続要求信号をＳＮＫ１に無線送信する（Ｓ１２）。これに対してＳＮＫ１はＬＥリンク接続応答信号をＳＲＣ２に無線通信する（Ｓ１３）。これによりＬＥモジュール１０３とＬＥモジュール２０３の間にＬＥリンク３０２が確立される。このＬＥリンク３０２も、ＢｌｕｅｔｏｏｔｈのＡＣＬを用いて実現される。なお、ＳＮＫ１がＬＥリンク接続要求信号をＳＲＣ２に無線送信してもよい。
【００３５】
次に、ＳＲＣ２は、ＢＲ／ＥＤＲリンク３０１上にＡ２ＤＰ接続を設定するためのＡ２ＤＰ接続要求信号をＳＮＫ１に無線送信する（Ｓ１４）。これに対してＳＮＫ１はＡ２ＤＰ接続応答信号をＳＲＣ２に無線送信する（Ｓ１５）。これにより、オーディオストリーミングデータの送受信を行うためのストリーミング接続、つまり、Ａ２ＤＰ接続が、ＢＲ／ＥＤＲリンク３０１上に確立され、オーディオデータ、例えば、音楽、のストリーミングおよび再生が開始される（Ｓ１６）。ＳＲＣ２はＢＲ／ＥＤＲリンク３０１を介してオーディオデータのストリームを無線送信する。ＳＮＫ１は、ＳＲＣ２からオーディオデータのストリームをＢＲ／ＥＤＲリンク３０１を受信しながら、その受信したオーディオデータのストリームをデコードおよび再生する。
【００３６】
次に、ＳＮＫ１は、ＬＥリンク（ＬＥ  ＡＣＬ）３０２上にＡＶＲＣＰ接続を設定するためのＡＶＲＣＰ接続要求信号をＳＲＣ２に無線送信する（Ｓ１７）。これに対してＳＲＣ２はＡＶＲＣＰ接続応答信号をＳＮＫ１に無線送信する（Ｓ１８）。これにより、オーディオリモートコントロールのためのコマンド／レスポンスの送受信を行うためのＡＶＲＣＰ接続がＬＥリンク（ＬＥ  ＡＣＬ）３０２上に確立される。
【００３７】
次にオーディオ聴取を行っているユーザがオーディオストリーミングを停止（一時停止を含む）するためにキー１０４を操作して再生の停止を指示するイベントを発生させる（Ｓ１９）。すると、ＳＮＫ１は、ＬＥリンク（ＬＥ  ＡＣＬ）３０２を介して、再生停止要求信号をＳＲＣ２に無線送信する（Ｓ２０）。再生停止要求信号は、ＡＶＲＣＰのＰＡＳＳＴＨＲＯＵＧＨコマンドによって実現されている。これに対して、ＳＲＣ２は、ＬＥリンク（ＬＥ  ＡＣＬ）３０２を介して、再生停止応答信号をＳＮＫ１に無線送信する（Ｓ２１）。ＳＮＫ１からの再生停止応答要求信号を受理したＳＲＣ２は、続いて、ＢＲ／ＥＤＲリンク（ＡＣＬ）３０１上のＡ２ＤＰ接続を切断するためのＡ２ＤＰ切断要求信号をＳＮＫ１に無線送信する（Ｓ２２）。これに対してＳＮＫ１はＡ２ＤＰ切断応答信号をＳＲＣ２に無線送信する（Ｓ２３）。これによりＢＲ／ＥＤＲリンク（ＡＣＬ）３０１上のＡ２ＤＰ接続は切断され、Ａ２ＤＰによるオーディオストリーミングは停止する（Ｓ２４）。なお、Ａ２ＤＰ切断要求信号は、ＳＮＫ１が無線送信してもよい。
【００３８】
オーディオストリーミングが停止した後、ＳＲＣ２は、ＢＲ／ＥＤＲリンク切断要求信号をＳＮＫ１に無線送信する（Ｓ２５）。これに対してＳＮＫ１はＢＲ／ＥＤＲリンク切断応答信号をＳＲＣ２に無線送信する（Ｓ２６）。これによりＢＲ／ＥＤＲリンク（ＡＣＬ）３０１は切断される。これでＳＮＫ１とＳＲＣ２の間には、ＡＶＲＣＰに使用されているＬＥリンク（ＬＥ  ＡＣＬ）３０２のみが存在している状態となる。なお、ＢＲ／ＥＤＲリンク切断要求信号は、ＳＮＫ１が送信しても良い。
【００３９】
次にユーザが再度オーディオストリーミングを開始させるためにキー１０４を使用して再生開始を指示するイベントを発生させる（Ｓ２７）。すると、ＳＮＫ１は、ＬＥリンク（ＬＥ  ＡＣＬ）３０２を介して再生開始要求信号をＳＲＣ２に無線送信する（Ｓ２８）。再生停止要求信号は、ＡＶＲＣＰのＰＡＳＳＴＨＲＯＵＧＨコマンドによって実現されている。これに対して、ＳＲＣ２は、ＬＥリンク（ＬＥ  ＡＣＬ）３０２を介して、再生開始応答信号をＳＮＫ１に無線送信する（Ｓ２９）。続いて、再生開始要求を受理したＳＲＣ２は、ＢＲ／ＥＤＲリンク接続要求信号をＳＮＫ１に無線送信する（Ｓ３０）。これに対してＳＮＫ１はＢＲ／ＥＤＲリンク接続応答信号をＳＲＣ２に無線送信する（Ｓ３１）。これによりＢＲ／ＥＤＲモジュール１０２とＢＲ／ＥＤＲモジュール２０２の間にＢＲ／ＥＤＲリンク（ＡＣＬ）３０１が再び確立される。なお、ＳＮＫ１がＢＲ／ＥＤＲリンク接続要求信号をＳＲＣ２に無線送信してもよい。
【００４０】
次にＳＲＣ２は、ＢＲ／ＥＤＲリンク３０１上にＡ２ＤＰ接続を設定するためのＡ２ＤＰ接続要求信号をＳＮＫ１に無線送信する（Ｓ３２）。これに対してＳＮＫ１はＡ２ＤＰ接続応答信号をＳＲＣ２に無線送信する（Ｓ３３）。これにより、オーディオストリーミングデータの送受信を行うためのストリーミング接続、つまり、Ａ２ＤＰ接続が、ＢＲ／ＥＤＲリンク３０１上に確立され、オーディオデータ、例えば、音楽、のストリーミングおよび再生が再開される（Ｓ１６）。ＳＲＣ２はＢＲ／ＥＤＲリンク３０１を介してオーディオデータのストリームを無線送信する。ＳＮＫ１は、ＳＲＣ２からオーディオデータのストリームをＢＲ／ＥＤＲリンク３０１を受信しながら、その受信したオーディオデータのストリームをデコードおよび再生する。
【００４１】
本実施形態では、オーディオストリーミングの停止（Ｓ２４）後すぐにＢＲ／ＥＤＲリンク３０１を切断するための処理が実行されているが、オーディオストリーミングの停止後に間もなく再度再生の要求が発生する場合を考慮して、ある一定時間以上オーディオストリーミングが停止していると判断された場合にＢＲ／ＥＤＲリンク３０１を切断するための処理を実行するようにしてもよい。
【００４２】
また、ここでは、Ｂｌｕｅｔｏｏｔｈデバイス同士の最初の接続時に必要なペアリング等の初期登録処理の手順については触れていないが、初期登録処理は、Ｂｌｕｅｔｏｏｔｈで実現されている一般的な方法を用いることができる。また、接続や切断の処理を開始する側のデバイスについては必ずしも本実施形態に示した方向である必要は無く、いずれのデバイス側から接続や切断の処理を開始してもよい。
【００４３】
図４には、ＳＮＫ１とＳＲＣ２との間の無線接続の他の構成例について説明する。図４の構成においては、ＢＲ／ＥＤＲモジュール１０２，２０２間のＢＲ／ＥＤＲリンク３０１上に設定されたＡＶＲＣＰ接続３０５をリモート制御に使用することができる。例えば、ＢＲ／ＥＤＲリンク３０１上のＡＶＲＣＰ接続３０５は、オーディオストリーミングの間におけるリモート制御に用いられる。オーディオストリーミングが停止された時は、ＢＲ／ＥＤＲリンク３０１が切断され、代わりにＬＥリンク３０２がＬＥモジュール１０３，２０３間に確立され、そして、ＬＥリンク３０２上のＡＶＲＣＰ接続３０４を介してリモート制御が実行される。
【００４４】
ＳＮＫ１とＳＲＣ２とによって実行される通信処理の概要は以下の通りである。  
ＳＮＫ１は、通信モジュール１０１とＳＲＣ２との間にＢＲ／ＥＤＲリンク３０１を確立し、ＢＲ／ＥＤＲリンク３０１を介してＳＮＫ１とＳＲＣ２との間でデジタルコンテンツデータを転送すると共に、必要に応じてＢＲ／ＥＤＲリンク３０１を介してＳＲＣ２にリモート制御信号を送信する。リモート制御信号（再生停止要求信号）によってデジタルコンテンツデータの転送が停止された場合、ＳＮＫ１は、ＢＲ／ＥＤＲリンク３０１を切断すると共に、通信モジュール１０１とＳＲＣ２との間にＬＥリンク３０２を確立する。
【００４５】
デジタルコンテンツデータの転送が停止されている状態、つまりＢＲ／ＥＤＲリンク３０１が切断されている状態で、デジタルコンテントデータの再生開始イベントが発生した場合、ＳＮＫ１は、再生要求信号をＬＥリンク３０２を介してＳＲＣ２に送信すると共に、ＬＥリンク３０２を切断する。そして、ＳＮＫ１は、デジタルコンテンツデータの転送を再開するために、通信モジュール１０１とＳＲＣ２との間にＢＲ／ＥＤＲリンク３０１を再確立する。
【００４６】
次に、図５および図６を参照して、図４の構成に対応する通信処理の手順の例をより詳しく説明する。図５および図６は、オーディオストリーミングを開始し、その後途中でオーディオストリーミングを停止した後に、再度オーディオストリーミングを再開する場合のシーケンスを示している。
【００４７】
ＳＲＣ２は、まず、ＢＲ／ＥＤＲリンク接続要求信号をＳＮＫ１に無線送信する（Ｓ１００）。これに対してＳＮＫ１はＢＲ／ＥＤＲリンク接続応答信号をＳＲＣ２に無線通信する（Ｓ１０１）。これによりＢＲ／ＥＤＲモジュール１０２とＢＲ／ＥＤＲモジュール２０２の間にＢＲ／ＥＤＲリンク（ＡＣＬ）３０１が確立される。なお、ＳＮＫ１がＢＲ／ＥＤＲリンク接続要求信号をＳＲＣ２に無線送信してもよい。
【００４８】
次に、ＳＲＣ２は、ＢＲ／ＥＤＲリンク（ＡＣＬ）３０１上にＡ２ＤＰ接続を設定するためのＡ２ＤＰ接続要求信号をＳＮＫ１に無線送信する（Ｓ１０２）。これに対してＳＮＫ１はＡ２ＤＰ接続応答信号をＳＲＣ２に無線送信する（Ｓ１０３）。これによりオーディオストリーミングデータの送受信を行うためのストリーミング接続、つまり、Ａ２ＤＰ接続が、ＢＲ／ＥＤＲリンク（ＡＣＬ）３０１上に確立され、オーディオデータ、例えば、音楽、のストリーミングおよび再生が開始される（Ｓ１０４）。
【００４９】
次に、ＳＮＫ１は、ＢＲ／ＥＤＲリンク（ＡＣＬ）３０１上にＡＶＲＣＰ接続を設定するためのＡＶＲＣＰ接続要求信号をＳＲＣ２に無線送信する（Ｓ１０５）。これに対してＳＲＣ２はＡＶＲＣＰ接続応答信号をＳＮＫ１に無線送信する（Ｓ１０６）。これにより、オーディオリモートコントロールのためのコマンド／レスポンスの送受信を行うためのＡＶＲＣＰ接続がＢＲ／ＥＤＲリンク（ＡＣＬ）３０１上に確立される。オーディオリモートコントロールのためのコマンドは、ＢＲ／ＥＤＲリンク（ＡＣＬ）３０１を介してＳＮＫ１からＳＲＣ２に無線送信される。
【００５０】
次にオーディオ聴取を行っているユーザがオーディオストリーミングを停止（一時停止を含む）するためにキー１０４を操作して再生の停止を指示するイベントを発生させる（Ｓ１０７）。すると、ＳＮＫ１は、ＢＲ／ＥＤＲリンク（ＡＣＬ）３０１を介して、再生停止要求信号をＳＲＣ２に無線送信する（Ｓ１０８）。これに対して、ＳＲＣ２は、ＢＲ／ＥＤＲリンク（ＡＣＬ）３０１を介して、再生停止応答信号をＳＮＫ１に無線送信する（Ｓ１０９）。ＳＮＫ１からの再生停止応答要求を受理したＳＲＣ２は、続いて、ＢＲ／ＥＤＲリンク（ＡＣＬ）３０１上のＡ２ＤＰ接続を切断するためのＡ２ＤＰ切断要求信号をＳＮＫ１に無線送信する（Ｓ１１０）。これに対してＳＮＫ１はＡ２ＤＰ切断応答信号をＳＲＣ２に無線送信する（Ｓ１１１）。これによりＢＲ／ＥＤＲリンク（ＡＣＬ）３０１上のＡ２ＤＰ接続は切断され、Ａ２ＤＰによるオーディオストリーミングは停止する（Ｓ１１２）。なお、Ａ２ＤＰ切断要求信号は、ＳＮＫ１が無線送信してもよい。
【００５１】
次に、ＳＮＫ１は、使用すべきＡＶＲＣＰ接続を、ＢＲ／ＥＤＲリンク（ＡＣＬ）３０１上のＡＶＲＣＰ接続（図４のＡＶＲＣＰ接続３０５）からＬＥリンク３０２上のＡＶＲＣＰ接続（図４のＡＶＲＣＰ接続３０４）に切り替える。この切替は、例えば、以下の手順で行われる。
【００５２】
ＳＮＫ１は、ＢＲ／ＥＤＲリンク（ＡＣＬ）３０１上のＡＶＲＣＰ接続３０５の切断を要求するＡＶＲＣＰ切断要求信号をＳＲＣ２に無線送信する（Ｓ１１３）。これに対してＳＲＣ２はＡＶＲＣＰ切断応答信号をＳＮＫ１に無線送信する（Ｓ１１４）。これによりＢＲ／ＥＤＲリンク（ＡＣＬ）３０１上のＡＶＲＣＰ接続３０５は切断される。続いてＳＲＣ２はＢＲ／ＥＤＲリンク切断要求信号をＳＮＫ１に無線送信する（Ｓ１１５）。これに対してＳＮＫ１はＢＲ／ＥＤＲリンク切断応答信号をＳＲＣ２に無線送信する（Ｓ１１６）。これにより、ＢＲ／ＥＤＲリンク（ＡＣＬ）３０１は切断される。なお、ＳＮＫ１がＢＲ／ＥＤＲリンク切断要求信号をＳＲＣ２に無線送信してもよい。
【００５３】
次に、ＳＲＣ２は、ＬＥリンク接続要求信号をＳＮＫ１に無線送信する（Ｓ１１７）。これに対してＳＮＫ１はＬＥリンク接続応答信号をＳＲＣ２に無線通信する（Ｓ１１８）。これによりＬＥモジュール１０３とＬＥモジュール２０３の間にＬＥリンク３０２が確立される。なお、ＳＮＫ１がＬＥリンク接続要求信号をＳＲＣ２に無線送信してもよい。
【００５４】
次に、ＳＮＫ１は、ＬＥリンク（ＬＥ  ＡＣＬ）３０２上にＡＶＲＣＰ接続を設定するためのＡＶＲＣＰ接続要求信号をＳＲＣ２に無線送信する（Ｓ１１９）。これに対してＳＲＣ２はＡＶＲＣＰ接続応答信号をＳＮＫ１に無線送信する（Ｓ１２０）。これにより、ＡＶＲＣＰ接続３０４がＬＥリンク（ＬＥ  ＡＣＬ）３０２上に確立される。
【００５５】
このようにして、ＡＶＲＣＰ接続は、ＢＲ／ＥＤＲリンク（ＡＣＬ）３０１上のＡＶＲＣＰ接続３０５からＬＥリンク３０２上のＡＶＲＣＰ接続３０４に切り替えられる。これでＳＮＫ１とＳＲＣ２の間には、ＡＶＲＣＰに使用されるＬＥリンク（ＬＥ  ＡＣＬ）３０２のみが存在している状態となる。
【００５６】
次にユーザが再度オーディオストリーミングを開始させるためにキー１０４を使用して再生開始を指示するイベントを発生させる（図５のＳ１２１）。すると、ＳＮＫ１は、ＬＥリンク（ＬＥ  ＡＣＬ）３０２を介して再生開始要求信号をＳＲＣ２に無線送信する（Ｓ１２２）。これに対して、ＳＲＣ２は、ＬＥリンク（ＬＥ  ＡＣＬ）３０２を介して、再生開始応答信号をＳＮＫ１に無線送信する（Ｓ１２３）。続いて、再生開始要求を受理したＳＲＣ２は、ＢＲ／ＥＤＲリンク接続要求信号をＳＮＫ１に無線送信する（Ｓ１２４）。これに対してＳＮＫ１はＢＲ／ＥＤＲリンク接続応答信号をＳＲＣ２に無線送信する（Ｓ１２５）。これによりＢＲ／ＥＤＲモジュール１０２とＢＲ／ＥＤＲモジュール２０２の間にＢＲ／ＥＤＲリンク（ＡＣＬ）３０１が再び確立される。なお、ＳＮＫ１がＢＲ／ＥＤＲリンク接続要求信号をＳＲＣ２に無線送信してもよい。
【００５７】
次に、ＳＲＣ２は、ＢＲ／ＥＤＲリンク（ＡＣＬ）３０１上にＡ２ＤＰ接続を設定するためのＡ２ＤＰ接続要求信号をＳＮＫ１に無線送信する（Ｓ１２６）。これに対してＳＮＫ１はＡ２ＤＰ接続応答信号をＳＲＣ２に無線送信する（Ｓ１２７）。これによりオーディオストリーミングデータの送受信を行うためのストリーミング接続、つまり、Ａ２ＤＰ接続が、ＢＲ／ＥＤＲリンク（ＡＣＬ）３０１上に確立され、音楽のストリーミングおよび再生が再開される（Ｓ１２８）。
【００５８】
次に、ＳＮＫ１は、ＢＲ／ＥＤＲリンク（ＡＣＬ）３０１上にＡＶＲＣＰ接続を設定するためのＡＶＲＣＰ接続要求信号をＳＲＣ２に無線送信する（Ｓ１２９）。これに対してＳＲＣ２はＡＶＲＣＰ接続応答信号をＳＮＫ１に無線送信する（Ｓ１３０）。これにより、ＡＶＲＣＰ接続３０５がＢＲ／ＥＤＲリンク（ＡＣＬ）３０１上に確立される。
【００５９】
次に、ＳＲＣ２は、ＬＥリンク切断要求信号をＳＮＫ１に無線送信する（Ｓ１３１）。これに対してＳＮＫ１はＬＥリンク接続応答信号をＳＲＣ２に無線送信する（Ｓ１３２）。これによりＬＥモジュール１０３とＬＥモジュール２０３の間のＬＥリンク（ＬＥ  ＡＣＬ３０２が切断される。なお、ＳＮＫ１がＬＥリンク切断要求信号をＳＲＣ２に無線送信するようにしてもよい。
【００６０】
以上のように、本実施形態では、ストリーミングの停止に応答して、ＢＲ／ＥＤＲリンク（ＡＣＬ）３０１が切断されると共に、ＡＶＲＣＰ接続は、ＢＲ／ＥＤＲリンク（ＡＣＬ）３０１上のＡＶＲＣＰ接続３０５からＬＥリンク３０２上のＡＶＲＣＰ接続３０４に切り替えられる。よって、ストリーミングが停止されている間の待機電力を低減することが出来る。また、ストリーミング中に使用される物理リンクはＢＲ／ＥＤＲリンク（ＡＣＬ）３０１のみであるので、ストリーミング中の電力消費も低減できる。
【００６１】
なお、本実施形態では、オーディオストリーミングの停止（Ｓ１１２）後すぐにＡＶＲＣＰの切断処理が実行されているが、この処理に関しては停止後に間もなく再度再生の要求が行われる場合を考慮して、ある一定時間以上オーディオストリーミングが停止していると判断された場合にＡＶＲＣＰ切断処理が実行されるようにしても良い。また、接続や切断の処理を開始する側のデバイスについては必ずしも本実施形態に示した方向である必要は無く、いずれのデバイス側から接続や切断の処理を開始してもよい。
【００６２】
以上説明したように、本実施形態においては、ＬＥリンク３０２を介した再生要求信号の送信によって、デジタルコンテンツデータのストリーミングのためのＢＲ／ＥＤＲリンク３０１が確立される。したがって、例えば、デジタルコンテンツデータの再生が停止されている間はＢＲ／ＥＤＲリンク３０１を切断しておくことが出来、またリモート制御によって容易にデジタルコンテンツデータの転送を開始（再開）することができる。よって、操作性を損なうことなく、無線通信のための電力消費を低減することができる。
【００６３】
なお、本実施形態ではＢｌｕｅｔｏｏｔｈを利用する例を例示したが、これに限らず、２つの物理リンクを利用し得る様々な無線通信方式を利用することが出来る。また、本実施形態では、オーディオリモートコントロールを行うための無線通信方式としてＢｌｕｅｔｏｏｔｈのＬＥを使用する例を説明したが、その他の無線通信方式、例えば、ＺｉｇＢｅｅ，ＲＦ４ＣＥ、等をオーディオリモートコントロールに利用してもよい。
【００６４】
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００６５】
１…シンクデバイス、２…ソースデバイス、１０１，２０１…通信モジュール、１０２，２０１…ＢＲ／ＥＤＲモジュール、１０３，２０３…ＬＥモジュール、１１１…システム制御部、１２１…Ａ２ＤＰ制御部、１２２…ＡＶＲＣＰ制御部、１２３…リンク制御部。
【図１】
2011197822.tif 000003
【図２】
2011197822.tif 000004
【図３】
2011197822.tif 000005
【図４】
2011197822.tif 000006
【図５】
2011197822.tif 000007
【図６】
2011197822.tif 000008
【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
双方向通信可能な第１の物理リンクと、第２の物理リンクの少なくとも一方を介して信号を無線送受信するように構成された通信モジュールであって、前記第１の物理リンクを介した信号の無線送受信のための電力消費は前記第２の物理リンクを介した信号の無線送受信のための電力消費よりも低い通信モジュールと、
前記通信モジュールと外部デバイスとの間に前記第１の物理リンクを確立する第１リンク制御手段と、
前記第１の物理リンクを介してデジタルコンテンツデータの再生要求信号を前記外部デバイスに送信し、前記第１の物理リンクを介して前記再生要求信号に対する応答信号を受信するリモート制御手段と、
前記応答信号を受信した後、前記通信モジュールと前記外部デバイスとの間に前記第２の物理リンクを確立する第２のリンク制御手段と、
前記第２の物理リンクを介して前記通信モジュールと前記外部デバイスとの間でデジタルコンテンツデータを転送するデータ転送手段とを具備することを特徴とする電子機器。
【請求項２】
前記第２のリンク制御手段は、前記デジタルコンテンツデータの転送が停止された場合、前記第２の物理リンクを切断することを特徴とする請求項１記載の電子機器。
【請求項３】
前記第１リンク制御手段は、前記第２の物理リンクの切断後に、前記第１の物理リンクを確立することを特徴とする請求項１または２記載の電子機器。
【請求項４】
前記第２の物理リンク介した信号の無線送受信は、周波数帯域を分割することによって得られる複数の第１周波数チャネル間をホッピングする周波数ホッピングによって実行され、前記第１の物理リンク介した信号の無線送受信は前記周波数帯域を分割することによって得られる、前記第１周波数チャネルの数よりも少ない複数の第２周波数チャネル間をホッピングする周波数ホッピングによって実行されることを特徴とする請求項１記載の電子機器。
【請求項５】
第１の物理リンクおよび第２の物理リンクの少なくとも一方を介して信号を無線送受信するように構成された通信モジュールであって、前記第１の物理リンクを介した信号の無線送受信のための電力消費は前記第２の物理リンクを介した信号の無線送受信のための電力消費よりも低い通信モジュールと、
前記通信モジュールと外部デバイスとの間に前記第２の物理リンクを確立し、前記第２の物理リンクを介して前記通信モジュールと前記外部デバイスとの間でデジタルコンテンツデータを転送すると共に、前記第２の物理リンクを介して前記外部デバイスにリモート制御信号を送信する第１の制御手段と、
前記リモート制御信号によって前記デジタルコンテンツデータの転送が停止された場合、前記第２の物理リンクを切断すると共に、前記通信モジュールと前記外部デバイスとの間に前記第１の物理リンクを確立するリンク制御手段と、
前記第２の物理リンクが切断されている状態で前記デジタルコンテントデータの再生開始イベントが発生した場合、再生要求信号を前記第１の物理リンクを介して前記外部デバイスに送信すると共に前記第１の物理リンクを切断し、且つ前記デジタルコンテンツデータの転送を再開するために前記通信モジュールと前記リモートデバイスとの間に前記第２の物理リンクを再確立する第２の制御手段とを具備することを特徴とする電子機器。
【請求項６】
前記第２の物理リンク介した信号の無線送受信は、周波数帯域を分割することによって得られる複数の第１周波数チャネル間をホッピングする周波数ホッピングによって実行され、前記第１の物理リンク介した信号の無線送受信は前記周波数帯域を分割することによって得られる、前記第１周波数チャネルの数よりも少ない複数の第２周波数チャネル間をホッピングする周波数ホッピングによって実行されることを特徴とする請求項５記載の電子機器。
【請求項７】
電子機器と外部デバイスとの間の無線通信を制御する通信制御方法であって、前記電子機器は、双方向通信可能な第１の物理リンクと、第２の物理リンクの少なくとも一方を介して信号を無線送受信するように構成され、前記第１の物理リンクを介した信号の無線送受信のための電力消費は前記第２の物理リンクを介した信号の無線送受信のための電力消費よりも低い通信モジュールを含んでおり、
前記通信モジュールと前記外部デバイスとの間に前記第１の物理リンクを確立するステップと、
前記第１の物理リンクを介してデジタルコンテンツデータの再生要求信号を前記外部デバイスに送信し、前記第１の物理リンクを介して前記再生要求信号に対する応答信号を受信するステップと、
前記応答信号を受信した後、前記通信モジュールと前記外部デバイスとの間に前記第２の物理リンクを確立するステップと、
前記第２の物理リンクを介して前記通信モジュールと前記外部デバイスとの間でデジタルコンテンツデータを転送するステップとを具備することを特徴とする通信制御方法。
【請求項８】
前記デジタルコンテンツデータの転送が停止された場合、前記第２の物理リンクを切断するステップをさらに具備することを特徴とする請求項７記載の通信制御方法。
【手続補正２】
【補正対象書類名】明細書
【補正対象項目名】０００９
【補正方法】変更
【補正の内容】
【０００９】
上述の課題を解決するために、請求項１に係る電子機器は、双方向通信可能な第１の物理リンクと、第２の物理リンクの少なくとも一方を介して信号を無線送受信するように構成された通信モジュールであって、前記第１の物理リンクを介した信号の無線送受信のための電力消費は前記第２の物理リンクを介した信号の無線送受信のための電力消費よりも低い通信モジュールと、前記通信モジュールと外部デバイスとの間に前記第１の物理リンクを確立する第１リンク制御手段と、前記第１の物理リンクを介してデジタルコンテンツデータの再生要求信号を前記外部デバイスに送信し、前記第１の物理リンクを介して前記再生要求信号に対する応答信号を受信するリモート制御手段と、前記応答信号を受信した後、前記通信モジュールと前記外部デバイスとの間に前記第２の物理リンクを確立する第２のリンク制御手段と、前記第２の物理リンクを介して前記通信モジュールと前記外部デバイスとの間でデジタルコンテンツデータを転送するデータ転送手段とを具備することを特徴とする。